(57)【特許請求の範囲】
【請求項１】
多数の孔を設けた多孔板の前面に、透光性の白色反射シートを、表示する文字図柄及びその周辺にのみ重ね合わせて貼着し、該白色反射シートの前面を含む該多孔板の前面に透光性の有彩色反射シートを重ね合わせて貼着し、該有彩色反射シートには、表示する該文字図柄が切り抜き形成されたことを特徴とする標識板。
【請求項２】
多数の孔を設けた多孔板の前面全体に、透光性の白色反射シートを貼着し、該白色反射シートの前面全体に透光性の有彩色反射シートを重ね合わせて貼着し、該有彩色反射シートには、表示する該文字図柄が切り抜き形成されたことを特徴とする標識板。
【請求項３】
前記多孔板の裏面に透光性の保護シートが貼着されたことを特徴とする請求項１または２記載の標識板。
【請求項４】
前記多孔板には、アルミニウム板の全面に多数の孔を穿設したパンチングメタルが使用されることを特徴とする請求項１または２記載の標識板。
【請求項５】
表示される文字図柄及びその周辺部分にのみ多数の孔を穿設したアルミニウム板が、前記多孔板として使用されることを特徴とする請求項１または２記載の標識板。
【発明の詳細な説明】
【技術分野】
【０００１】
本発明は、道路標識、公共施設等の各種情報を表示する標識装置の標識板に関し、特に、逆光時の文字図柄の視認性、判読性を向上させた標識板に関する。
【背景技術】
【０００２】
朝日や夕日の方向に道路標識等を見る場合、道路標識等は朝日や夕日の逆光状態で視認しなければならず、通常の人には、逆光により、道路標識等の周辺が眩しく見え、情報を表示している標識板面が暗く見えるため、道路標識等の視認性、判読性が著しく低下する。
【０００３】
そこで、従来、下記特許文献１，２，３などにおいて、逆光時の視認性を向上させた標識板が提案されている。
【０００４】
このうち、特許文献１の標識板は、透明アクリル板等からなる透光板の前面に、文字図柄を表示する反射シートを貼着し、透光板の裏面に、間隔をおいてパンチングメタルを配置して構成される。
【先行技術文献】
【特許文献】
【０００５】
【特許文献１】特許第３５８６１７１号公報
【特許文献２】特許第３６６２６０２号公報
【特許文献３】特許第３８７５９０３号公報
【発明の概要】
【発明が解決しようとする課題】
【０００６】
この標識板は、パンチングメタルの孔または透光板を透過した逆光時の光を、バックライトとして使用し、文字図柄を表す反射シートを、逆光のバックライト効果を利用して表示する構造であり、夜間、通常の反射式標識と同様に、車両の前照灯などの光を反射シートの前面で受けて反射させ、反射シートの文字図柄を反射光により表示するようにしている。
【０００７】
しかし、この特許文献１の標識板は、その前面全体が反射シートの反射面となって、夜間には、再帰反射により見やすく表示されるものの、文字図柄を表す反射シートは、その文字図柄部分のみが透光性を有し、他の反射シートの部分は全て非透光性の部分となっている。このため、逆光の際、透光する文字図柄部分とそれ以外の非透光性部分（暗く見える部分）との輝度比が高くなり、ハレーションのような現象が生じやすい。このため、逆光時、特に文字図柄が複雑な形状の場合には、文字図柄が認識しにくくなる課題があった。
【０００８】
一方、上記特許文献２の標識板は、板の文字図柄の部分に多数の孔を穿設し、或いは板の文字図柄以外の部分に多数の孔を穿設して、文字図柄を表示するように構成される。このため、特許文献２の標識板の場合、逆光の際、ドライバなどの観者は多数の孔を通して逆光の光を見ることになり、観者の瞳孔は、逆光を受けたとき、著しく閉じるように作用する。また、逆光を受けながら標識板を見る観者は、多数の孔から直接太陽光を見ることとなり、これより、目に残像が残り、さらにハレーションが生じて、標識の視認性、判読性が低下する課題がある。
【０００９】
一方、上記特許文献３の標識板は、アルミ板の前面に背景部分として緑色反射シートを貼着する一方、白色反射シートから文字図形部分を切り抜いたものをその緑色反射シートの前面に貼着し、さらに、文字図形部分の白色反射シートには、字画に沿ってスリットを形成して構成される。
【００１０】
しかし、この特許文献３の標識板は、それを製造する場合、白色反射シートから文字図形部分を切り抜いた部材を、緑色反射シートの前面に貼着するという煩雑で熟練技術を必要とする作業を行うことになるため、製造工程における作業性が非常に悪く、多くの作業工数、加工時間、及び熟練技術を必要とするなどの課題があった。
【００１１】
また、特許文献３の標識板は、アルミ板に文字図柄を表す反射シートを貼着した後、そこに多数の孔を穿設する加工を行って、標識板を製造することもできるが、この場合には、多数孔の穿設加工時に文字図柄を表す反射シートの表示面を汚し或いは傷つけやすいという不具合がある。
【００１２】
本発明は、上述の課題を解決するものであり、逆光時における文字図柄等の視認性、判読性をさらに向上させ、製造時の加工作業性を改善することが可能な標識板を提供することを目的とする。
【課題を解決するための手段】
【００１３】
本発明に係る請求項１の標識板は、多数の孔を設けた多孔板の前面に、透光性の白色反射シートを、表示する文字図柄及びその周辺にのみ重ね合わせて貼着し、該白色反射シートの前面を含む該多孔板の前面に透光性の有彩色反射シートを重ね合わせて貼着し、該有彩色反射シートには、表示する該文字図柄を切り抜き形成したことを特徴とする。
【００１４】
この発明によれば、夜間時、有彩色反射シート及び文字図柄の白色反射シートが正面から光を受けて、再帰反射し、有彩色の下地上に白色の文字図柄を明瞭に表示する。また、逆光の際、多孔板の孔を通過して透光性のある白色反射シート及び有彩色反射シートを光が通過して表示面が明るく表示され、特に、透光性の白色反射シートのみを光が透過する文字図柄の部分が最も明るく表示され、次に（２番目に）明るい部分として素地となる有彩色反射シートの部分が表示され、文字図柄の周囲に重ね合わせた、白色反射シートと有彩色反射シートの重なり部分が３番目に明るく表示されて、板面の輝度比を小さくし、反射シートの色のコントラストにより、目に優しく表示される。
【００１５】
このため、文字図柄を表示する部分に明暗の強いコントラストは生じず、ハレーションの発生を防ぎ、目に優しい状態で、文字図柄を表示することができ、標識の視認性、判読性を向上させることができる。さらに、製造時の反射シートの加工は、有彩色反射シートに、表示する文字図柄を切り抜き形成するのみとなり、加工工程数を少なくし、製造時の作業性を向上させることができる。また、白色反射シートは表示する文字図柄及びその周辺のみに配されるので、高価な白色反射シートの使用量を少なくすることができる。
【００１６】
また、本発明に係る請求項２の標識板は、多数の孔を設けた多孔板の前面全体に、透光性の白色反射シートを貼着し、該白色反射シートの前面全体に透光性の有彩色反射シートを重ね合わせて貼着し、該有彩色反射シートには、表示する該文字図柄を切り抜き形成したことを特徴とする。
【００１７】
この発明によれば、標識板の前面全体に有彩色反射シート及び文字図柄の白色反射シートが配置されるので、夜間時、有彩色反射シート及び文字図柄の白色反射シートが正面から光を受けたとき、良好に再帰反射し、反射シートを切り抜いた従来のものに比べ、有彩色の下地上に白色の文字図柄を明瞭に表示することができる。
【００１８】
また、逆光の際、多孔板の孔を通過して光が透光性の白色反射シート及び有彩色反射シートを通過して標識が表示され、特に、透光性の白色反射シートのみを光が透過する文字図柄の部分が明るく表示され、下地の有彩色反射シートと白色反射シートが重なる部分はそれより暗く表示される。つまり、逆光の光は、共に多孔板を通過し、透光性の白色反射シートを通して、または透光性の白色反射シートと有彩色反射シートを通して、観者の目に届くため、目に優しく表示される。
【００１９】
このため、文字図柄を表示する部分に、輝度差による強いコントラストに起因したハレーションは発生せず、従来の標識板に比べ、標識板面の色度差及び輝度差を小さくして、目に優しい状態で、文字図柄を表示することができ、標識の視認性、判読性を向上させることができる。さらに、製造時の反射シートの加工は、有彩色反射シートに、表示する文字図柄を切り抜き形成するのみとなり、加工工程数を少なくし、製造時の作業性を向上させることができる。
【００２０】
ここで、上記多孔板の裏面には透光性の保護シートを貼着することが好ましい。これにより、多孔板の孔を通して標識板の内部に塵等の異物が侵入することを防止することができる。
【００２１】
また、上記多孔板には、アルミニウム板の全面に多数の孔を穿設したパンチングメタルを使用することができる。また、表示される文字図柄及びその周辺部にのみ多数の孔を穿設したアルミニウム板を、多孔板として、使用することもできる。
【発明の効果】
【００２２】
本発明の標識板によれば、逆光時における文字図柄等の視認性、判読性をさらに向上させることができ、製造時の加工作業性を改善することができる。
【図面の簡単な説明】
【００２３】
【図１】本発明の一実施形態を示す標識板の斜視図である。
【図２】同標識板の分解斜視図である。
【図３】同標識板のIII-III断面図である。
【図４】同標識板の分解断面図である。
【図５】他の実施形態の標識板の斜視図である。
【図６】他の実施形態の標識板の分解斜視図である。
【図７】同標識板のVIII-VIII断面図である。
【図８】同標識板の分解断面図である。
【図９】さらに他の実施形態の標識板の正面図である。
【図１０】同標識板の分解斜視図である。
【図１１】さらに他の実施形態の標識板の分解斜視図である。
【図１２】標識板を取り付ける標識用支柱の正面図（ａ）とその右側面図（ｂ）である。
【図１３】ビームとＴバーを連結固定した箇所の拡大右側面図（ａ）とそのＢ−Ｂ断面図である。
【図１４】リブとＴバーを固定する係止爪の側面図（ａ）、そのＢ−Ｂ断面図（ｂ）、そのＣ−Ｃ断面図（ｃ）である。
【発明を実施するための形態】
【００２４】
以下、本発明の一実施形態を図面に基づいて説明する。図１〜図４は、道路情報、公共施設等の各種情報を、標識用支柱３０に取り付けて表示する標識装置の標識板１を示している。なお、実施形態を説明する図において、標識板１の各部材の厚さは、図面の見易さから、相対的に厚く、誇張して図示されており、実際の標識板１の厚さは、正面の大きさに比して相対的により薄く形成される。
【００２５】
この標識板１は、多数の孔を設けた多孔板４の前面に、透光性の白色反射シート３を、表示する文字図柄及びその周辺にのみ重ね合わせ、白色反射シート３の前面を含む多孔板４の前面に透光性の有彩色反射シート２を重ね合わせ、有彩色反射シート２には、表示する文字図柄を切り抜き形成した切抜き部５を設けて構成される。
【００２６】
標識板１の基板となる多孔板４は、例えばアルミニウムのパンチングメタルを長方形に裁断して構成される。多孔板４の厚さは例えば約２〜５ｍｍであり、背面に補強用のリブ３４（図１２）が水平方向に溶接されている。リブ３４は、例えば、アルミニウム等の金属材料を用いて、Ｃ型チャンネル材にＬ形アングル材を一体成形した同一断面の長尺部材として形成され、Ｌ形アングル材の部分が多孔板４の背面に溶接される。リブ３４は、多孔板４の背面に、水平方向と平行に所定の間隔をおいて溶接され、多孔板４を補強し、後述のように、標識用支柱３０に取り付ける際の取付部を構成する。多孔板４に形成された多数の孔４ａは所定の間隔で並設される。なお、多孔板としては、上記のパンチングメタルの他、文字図柄に対応した部分にのみ多数の孔を穿設したアルミニウム板を、使用してもよい。
【００２７】
多孔板４の前面に貼着される白色反射シート３は、前面から照射された光を再帰性反射する一方、背面（後面）からの光をある程度透過させる、透光性を有するプリズム型反射シートとして構成される。白色反射シート３の前面は、厚さ約０．５〜０．７５ｍｍのアクリル系ＰＭＭＡ等の透明プラスチック板からなり、プラスチック板の内側面には、ポリカーカーボネート樹脂のプリズム面が形成される。このプリズム面と背面のカバーシートによって、白色反射シート３は、前面から入射した光を入射方向と同じ方向に反射させる再帰性を有したプリズム型反射シートを構成している。
【００２８】
白色のカバーシートは、プリズム面を形成した硬質透明プラスチック板の背面側に空間を介して貼着される。カバーシートは、薄い白色のプラスチック製または紙製シートからなり、背面からの透光性を有する白色シートである。これにより、白色反射シート３は、正面視で白色の外観を呈し、背面からの透光性を有する反射シートとなっている。
【００２９】
この白色反射シート３は、表示する文字図柄及びその周辺のみに配置されて多孔板４の正面（前面）に貼着され、文字図柄（切抜き部５）の白色を表示する。なお、白色反射シート３の裏面（背面）には、予め粘着材層が形成されており、製造工程において、多孔板４の前面に白色反射シート３を貼着する場合、両者を重ね合わせ、常温で圧着し、或いは熱を加えて熱圧着される。
【００３０】
さらに、白色反射シート３を貼着した多孔板４の前面には、多孔板４と同じ形状大きさの有彩色反射シート２が、その前面全体を覆うように貼着される。この有彩色反射シート２は、基本的には、上記白色反射シート３と、色を除き同様な構造となっている。
【００３１】
すなわち、有彩色反射シート２は、背面（後面）からの光をある程度透過させる、透光性を有する着色された反射シートであり、前方から照射される光の再帰性を有する着色半透明プラスチック板の背面に、透光性のカバーシートを貼着して構成される。有彩色反射シート２の前面部を形成するプラスチック板は、厚さ約０．５〜０．７５ｍｍの硬質の着色半透明プラスチック板から形成され、透光性を有した有彩色に着色されている。有彩色反射シート２つまりその着色半透明プラスチック板は、有彩色として緑色または青色に着色され、緑色はダークグリーン、青色はダークブルーを含む概念である。また、緑色または青色の他、文字図柄を表示する地色として見やすい色であれば、任意の色に着色することができる。
【００３２】
有彩色反射シート２の着色半透明プラスチック板の内側面には、プリズム面が形成され、このプリズム面と背面のカバーシートによって、前面から入射した光を入射方向と同じ方向に反射させる再帰性反射面を形成している。
【００３３】
白色のカバーシートは、プリズム面を形成した半透明プラスチック板の背面側に、空間を介して貼着されている。カバーシートは薄い白色のプラスチック製または紙製シートで、背面からの透光性を有するシートとなっており、これにより、有彩色反射シート２は、正面視で有彩色の外観を呈し背面からの透光性を有する構造となっている。
【００３４】
有彩色反射シート２は、図１のように標識板１の正面側に貼着され、有彩色反射シート２には、表示される文字図柄が切抜き部５として切り抜き形成される。有彩色反射シート２は、上記のように、文字図柄の位置に白色反射シート３を貼着した多孔板４の前面に貼着される。これにより、有彩色反射シート２の切抜き部５内に白色反射シート３が位置し、正面視で、文字図柄の切抜き部５が有彩色の地に白色で表示されるようになっている。
【００３５】
有彩色反射シート２の裏面（背面）には、予め粘着材層が形成されており、製造工程において、白色反射シート３を貼着した多孔板４の前面に、白色反射シート３を覆うように、有彩色反射シート２は、常温で圧着され、或いは熱を加えて熱圧着される。
【００３６】
さらに、多孔板４の背面には、透光性の保護シート６が貼着される。保護シート６は例えば薄い合成樹脂製の透明シートに粘着材層を設けて構成され、多孔板４の背面全体を覆うように貼着され、多孔板４の孔４ａに入りやすい塵の侵入を防止するようになっている。
【００３７】
このように、標識板１の製造時、反射シートの加工は、有彩色反射シート２に、表示する文字図柄を切り抜き形成するのみとなり、それ以外は、所定の大きさ形状に裁断された多孔板４、有彩色反射シート２、白色反射シート３、及び保護シート６を各々貼着すればよく、加工が容易で、加工工程数が少なく、製造時の作業性を向上させることができる。
【００３８】
図５〜図８は他の実施形態の標識板１１を示している。この標識板１１は、多数の孔を設けた多孔板１４の前面全体に、透光性の白色反射シート１３を、重ね合わせて貼着し、白色反射シート１３の前面に透光性の有彩色反射シート１２を重ね合わせて貼着し、有彩色反射シート１２には、表示する文字図柄を切り抜き形成した切抜き部１５を設けて構成される。
【００３９】
標識板１１の基板となる多孔板１４は、上記と同様、例えばアルミニウムのパンチングメタルを長方形に裁断して構成され、多孔板１４の背面には、補強用のリブ３４が図１２の如く水平方向と平行に所定の間隔をおいて溶接される。
【００４０】
多孔板１４の前面に貼着される白色反射シート１３は、上記と同様に、前面から照射された光を再帰性反射する一方、背面（後面）からの光をある程度透過させる、透光性を有するプリズム型反射シートとして構成される。白色反射シート１３の前面は、厚さ約０．５〜０．７５ｍｍの硬質透明プラスチック板からなり、プラスチック板の内側面には、プリズム面が形成される。このプリズム面と背面のカバーシートによって、白色反射シート１３は、前面から入射した光を入射方向と同じ方向に反射させる再帰性を有したプリズム型反射シートを構成している。
【００４１】
白色のカバーシートは、プリズム面を形成した硬質透明プラスチック板の背面側に空間を介して貼着される。カバーシートは、薄い白色のプラスチック製または紙製シートからなり、背面からの透光性を有する白色シートである。これにより、白色反射シート１３は、正面視で白色の外観を呈し、背面からの透光性を有する反射シートとなっている。
【００４２】
さらに、白色反射シート１３の前面全体に、有彩色反射シート１２が貼着される。この有彩色反射シート１２は、基本的には、上記白色反射シート１３と、色を除き同様な構造となっている。
【００４３】
すなわち、有彩色反射シート１２は、背面（後面）からの光をある程度透過させる、透光性を有する着色された反射シートであり、前方から照射される光の再帰性を有する着色半透明プラスチック板の背面に、透光性のカバーシートを貼着して構成される。有彩色反射シート１２の前面部を形成するプラスチック板は、厚さ約０．５〜０．７５ｍｍの硬質の着色半透明プラスチック板から形成され、透光性を有した有彩色に着色されている。有彩色反射シート１２つまりその着色半透明プラスチック板は、有彩色として緑色または青色に着色され、緑色はダークグリーン、青色はダークブルーを含む概念である。
【００４４】
有彩色反射シート１２の着色半透明プラスチック板の内側面には、プリズム面が形成され、このプリズム面と背面のカバーシートによって、前面から入射した光を入射方向と同じ方向に反射させる再帰性反射面を形成している。
【００４５】
白色のカバーシートは、プリズム面を形成した半透明プラスチック板の背面側に、空間を介して貼着されている。カバーシートは薄い白色のプラスチック製または紙製シートで、背面からの透光性を有するシートとなっており、これにより、有彩色反射シート１２は、正面視で有彩色の外観を呈し背面からの透光性を有する構造となっている。
【００４６】
有彩色反射シート１２には、図５のように、表示される文字図柄が切抜き部１５として切り抜き形成され、有彩色反射シート１２は標識板１１の正面つまり白色反射シート１３の前面全体に貼着される。これにより、有彩色反射シート１２の切抜き部１５内に白色反射シート１３が位置し、正面視で、文字図柄の切抜き部１５が有彩色の地に白色で表示されるようになっている。
【００４７】
一方、多孔板１４の背面には、透光性の保護シート１６が貼着される。保護シート１６は例えば薄い合成樹脂製の透明シートに粘着材層を設けて構成され、多孔板１４の背面全体を覆うように貼着され、多孔板１４の孔１４ａに入りやすい塵の侵入を防止するようになっている。
【００４８】
この標識板１１の製造時においても、反射シートの加工は、有彩色反射シート１２に、表示する文字図柄を切り抜き形成するのみとなり、それ以外は、所定の大きさ形状に裁断された多孔板１４、有彩色反射シート１２、白色反射シート１３、及び保護シート１６を各々貼着すればよく、加工が容易で、加工工程数が少なく、製造時の作業性を向上させることができる。
【００４９】
図９〜図１１はさらに他の実施形態の標識板２１を示している。図１０の標識板２１は、表示する文字図柄に対応する部分にのみ分割して形成された透光性の白色反射シート２３を、多数の孔を全面に設けた多孔板２４に貼着し、白色反射シート２３の前面に透光性の有彩色反射シート２２を貼着し、有彩色反射シート２２には、表示する文字図柄を切り抜き形成した切抜き部２５を設けて構成される。
【００５０】
一方、図１１の標識板２１は、表示する文字図柄に対応する部分にのみ多数の孔を設けた多孔板２４に、分割形成された透光性の白色反射シート２３を貼着し、白色反射シート２３の前面に透光性の有彩色反射シート２２を貼着し、有彩色反射シート２２には、表示する文字図柄を切り抜き形成した切抜き部２５を設けて構成される。
【００５１】
標識板２１の基板となる図１０の多孔板２４は、上記と同様、例えばアルミのパンチングメタルを使用し、図１１の多孔板２７は、アルミニウム板を長方形に裁断し、表示する文字図柄に対応する部分にのみ、つまり表示する文字図柄の背面及びその近傍部分にのみ多数の孔を穿設して構成される。また、このような多孔板２４、２７の背面には、補強用のリブ３４が図１２の如く水平方向と平行に所定の間隔をおいて溶接される。
【００５２】
多孔板２４、２７の前面に貼着される白色反射シート２３は、表示する文字図柄に対応する部分にのみ分割して形成され、前面から照射された光を再帰性反射する一方、背面（後面）からの光をある程度透過させる、透光性を有するプリズム型反射シートとして構成される。白色反射シート２３の前面は、厚さ約０．５〜０．７５ｍｍの硬質透明プラスチック板からなり、プラスチック板の内側面には、プリズム面が形成される。このプリズム面と背面のカバーシートによって、白色反射シート２３は、前面から入射した光を入射方向と同じ方向に反射させる再帰性を有したプリズム型反射シートを構成している。
【００５３】
白色のカバーシートは、プリズム面を形成した硬質透明プラスチック板の背面側に空間を介して貼着される。カバーシートは、薄い白色のプラスチック製または紙製シートからなり、背面からの透光性を有する白色シートである。これにより、白色反射シート２３は、正面視で白色の外観を呈し、背面からの透光性を有する反射シートとなっている。
【００５４】
さらに、白色反射シート２３の前面に、有彩色反射シート２２が貼着される。この有彩色反射シート２２は、基本的には、上記白色反射シート２３と、色を除き同様な構造となっている。
【００５５】
有彩色反射シート２２は、背面（後面）からの光をある程度透過させる、透光性を有する着色された反射シートであり、前方から照射される光の再帰性を有する着色半透明プラスチック板の背面に、透光性のカバーシートを貼着して構成される。有彩色反射シート２２の前面部を形成するプラスチック板は、厚さ約０．５〜０．７５ｍｍの硬質の着色半透明プラスチック板から形成され、透光性を有した有彩色に着色されている。有彩色反射シート２２つまりその着色半透明プラスチック板は、有彩色として緑色または青色に着色され、緑色はダークグリーン、青色はダークブルーを含む概念である。
【００５６】
有彩色反射シート２２の着色半透明プラスチック板の内側面には、プリズム面が形成され、このプリズム面と背面のカバーシートによって、前面から入射した光を入射方向と同じ方向に反射させる再帰性反射面を形成している。
【００５７】
白色のカバーシートは、プリズム面を形成した半透明プラスチック板の背面側に、空間を介して貼着されている。カバーシートは薄い白色のプラスチック製または紙製シートで、背面からの透光性を有するシートとなっており、これにより、有彩色反射シート２２は、正面視で有彩色の外観を呈し背面からの透光性を有する構造となっている。
【００５８】
有彩色反射シート２２には、図１０、１１のように、上下に分割して形成されると共に、表示される文字図柄が切抜き部２５として切り抜き形成され、有彩色反射シート２２は標識板２１の正面つまり白色反射シート２３の前面に貼着される。これにより、有彩色反射シート２２の切抜き部２５内に白色反射シート２３が位置し、正面視で、文字図柄の切抜き部２５が有彩色の地に白色で表示されるようになっている。
【００５９】
一方、図１０のように、多孔板２４の背面全体には、１枚の透光性の保護シート２６が貼着され、図１１の場合には、分割形成された保護シート２８が多孔板２７の孔２７ａを穿設した部分のみに貼着される。保護シート２６、２８は、例えば薄い合成樹脂製の透明シートに粘着材層を設けて構成され、多孔板２４の背面全体または多孔板２７の孔２７ａの部分のみを覆うように貼着され、多孔板２４の孔２４ａまたは多孔板２７の孔２７ａに入りやすい塵の侵入を防止するようになっている。
【００６０】
この標識板２１の製造時においても、反射シートの加工は、有彩色反射シート２２に、表示する文字図柄を切り抜き形成するのみとなり、それ以外は、所定の大きさ形状に裁断された多孔板２４または２７、有彩色反射シート２２、白色反射シート２３、及び保護シート２６または２８を各々貼着すればよく、加工が容易で、加工工程数が少なく、製造時の作業性を向上させることができる。
【００６１】
上記構成の標識板１、１１、２１は、例えば道路標識、公共施設の情報標識として使用され、図１２，１３のように、例えばＦ型の標識用支柱３０に取り付けて使用される。なお、Ｆ型の標識用支柱３０のほか、図示しないバタフライ標識用支柱或いは門型標識用支柱に取り付けることもできる。
【００６２】
標識用支柱３０の上部には、２本のビーム３１が水平に固定され、ビーム３１間に梁立鋼３２が縦に固定される。一方、標識板１、１１、２１の背面には、上記の如く、複数の補強用のリブ３４が溶接されているので、それらのリブ３４に対し直角方向に、２本のＴバー３３を、係止爪３５と固定ボルト３６を用いて固定する。
【００６３】
２本のＴバー３３はＴ型断面を有する長尺金属材であり、Ｔバー３３はリブ３４のＣ型チャンネル材の部分に、図１３、１４に示す如く、係止爪３５及び固定ボルト３６によって締め付け固定される。係止爪３５は、図１４のように、側面視を略Ｌ形とし且つボルト用孔を設けて形成される。
【００６４】
リブ３４をＴバー３３に固定する場合、固定ボルト３６は、その頭部をリブ３４のＣ型チャンネル材の内側に嵌め込み、係止爪３５のボルト用孔に通した状態で、その先端にナットをねじ込み、係止爪３５の先端部でＴバー３３の縁部を押し付けるように、固定ボルト３６を締め付ける。
【００６５】
これにより、標識板１，１１，２１の背面に溶接されたリブ３５は、図１４に示す如く、固定ボルト３６と係止爪３５により、Ｔバー３３に対し固定される。Ｔバー３３は、図１３に示す如く、２本のビーム３１の側部に突き出すように溶接された固定部に対し、固定ボルトなどで固定されており、これによって、標識板１，１１，２１は標識用支柱３０に取り付けられることとなる。
【００６６】
夜間、例えば車両の前照灯から光が標識板１、１１、２１に照射され、光がその前面の有彩色反射シート２、１２、２２及び白色反射シート３、１３、２３に当ると、再帰反射された光は車両のドライバの目に良好に届き、ドライバは標識板１，１１，２１の文字図柄を、緑色または青色の地の上に、白色の文字図柄として、明確に視認することができる。また、文字図柄以外の部分にのみ反射シートを使用した従来の標識板に比べ、標識板１、１１、２１全体が反射面となるので、夜間の標識板の視認性を向上させることができる。
【００６７】
一方、図１の標識板１においては、早朝或いは夕方、朝日や夕日の逆光を受けた状態で、その前方から視認すると、多孔板４の多数の孔４ａを通過して、光が背面から前面に透過し、バックライト表示のように良好な明るさで標識が表示される。このとき、図３に示すように、文字図柄の切抜き部５を通る透過光Ｌ１は、透光性の白色反射シート３を通過して、文字図柄の切抜き部５は最も明るく表示される。
【００６８】
標識板１では、下地となる有彩色反射シート２の部分で、透過光Ｌ２が、着色されているため、２番目に明るい部分として下地となる有彩色反射シート２を透過して表示される。そして、文字図柄の周囲に重ね合わせた、白色反射シート３と有彩色反射シート２の重なり部分では、透過光Ｌ３が、白色反射シート３と有彩色反射シート２を通過して、３番目に明るい部分つまり最も暗い部分として表示され、これにより、標識板１の全体を見ると、明るさが順に変わるように目に優しく表示されることとなる。
【００６９】
また、図７に示す標識板１１では、逆光の際、多孔板１４の孔を通過して光が透光性の白色反射シート１３及び有彩色反射シート１２を通過して標識が表示され、特に、透光性の白色反射シート１３のみを光が透過する文字図柄の部分（切抜き部１５）が明るく表示され、下地の有彩色反射シート１２の部分はそれより暗く表示される。つまり、逆光の光は、共に多孔板１４を通過し、透光性の白色反射シート１３を通して、または透光性の白色反射シート１３と有彩色反射シート１２を通して、観者の目に届くため、目に優しく表示される。
【００７０】
さらに、図１１に示す標識板２１では、逆光の際、多孔板２７の孔２７ａのない部分（文字図柄の背面及びその近傍を除く部分）が、背面からの透過光が生じないので、最も暗く表示され、文字図柄の下地となる有彩色反射シート２２の部分では、多孔板２７を通る透過光が、白色反射シート２３と有彩色反射シート２２の重なり部分を透過して着色表示され、有彩色反射シート２２を切り抜いた文字図柄の切抜き部２５では、白色反射シート２３のみを透過した透過光が最も明るい白色部分として表示される。これにより、標識板２１の全体を見ると、明るさが順に変わるように輝度比を小さくし、色のコントラストにより、目に優しく表示されることとなる。
【００７１】
このように、上記標識板１，１１，２１は、文字図柄を表示する部分に、輝度差による強いコントラストに起因したハレーションは発生せず、従来の標識板に比べ、標識板面の色度差及び輝度差を小さくして、目に優しい状態で、文字図柄を表示することができ、標識の視認性、判読性を向上させることができる。さらに、製造時の反射シートの加工は、有彩色反射シート２，１２，２２に、表示する文字図柄を切り抜き、切抜き部５，１５，２５を形成するのみとなり、加工工程数を少なくし、製造時の作業性を向上させることができる。
【００７２】
なお、上記実施形態の白色反射シート３、１３、２３及び有彩色反射シート２、１２、２２には、再帰性反射機能を有したプリズム型反射シートを使用したが、背面からの透光性を有した反射シートであれば、他の構造の反射シートを使用することもできる。
【符号の説明】
【００７３】
１      標識板
２      有彩色反射シート
３      白色反射シート
４      多孔板
４ａ    孔
５      切抜き部
６      保護シート
１１    標識板
１２    有彩色反射シート
１３    白色反射シート
１４    多孔板
１４ａ  孔
１５    切抜き部
１６    保護シート
２１    標識板
２２    有彩色反射シート
２３    白色反射シート
２４    多孔板
２４ａ  孔
２５    切抜き部
２６    保護シート
３０    標識用支柱
３１    ビーム
３２    梁立鋼
３３    Ｔバー
３４    リブ
３５    係止爪
３６    固定ボルト
【図１】
0005539260.tif 000002
【図２】
0005539260.tif 000003
【図３】
0005539260.tif 000004
【図４】
0005539260.tif 000005
【図５】
0005539260.tif 000006
【図６】
0005539260.tif 000007
【図７】
0005539260.tif 000008
【図８】
0005539260.tif 000009
【図９】
0005539260.tif 000010
【図１０】
0005539260.tif 000011
【図１１】
0005539260.tif 000012
【図１２】
0005539260.tif 000013
【図１３】
0005539260.tif 000014
【図１４】
0005539260.tif 000015